(57)【要約】【課題】冷却貯蔵庫の輸送時や搬入設置時に排水装置を破損しにくく、現場で装着しやすく部品交換が容易な冷却貯蔵庫の排水装置を提供する。【解決手段】冷却貯蔵庫の断熱箱本体２３の底部に取り付けられたドレンソケット２と、このドレンソケット２の外周に設けられた係合部１０と、この係合部１０に係合する係合片１７を有するドレンジョイント１と、このドレンジョイント１の下端にねじ止めされたキャップ３とを備え、ドレンソケット２の外周には等間隔で突出した係合部１０が設けられ、ドレンジョイント１には係合部１０に挿入して係合される係合片１７が設けられている。【選択図】　　図１
2004060940.tif 000002
【特許請求の範囲】
【請求項１】
冷却貯蔵庫の本体底部に取り付けられたドレンソケットと、このドレンソケットの外周に設けられた係合部と、この係合部に係合する係合片を有するドレンジョイントと、このドレンジョイントの下端にねじ止めされたキャップとを備えたことを特徴とする冷却貯蔵庫の排水装置。
【請求項２】
前記ドレンソケットの内側に突起を設け、この突起に嵌合する溝を設けたドレンフィルタを有することを特徴とする請求項１記載の冷却貯蔵庫の排水装置。
【請求項３】
前記ドレンソケットの下方に二重管部を設け、この二重管部に前記ドレンジョイントの筒部が挿入されることを特徴とする請求項１記載の冷却貯蔵庫の排水装置。
【請求項４】
前記ドレンソケットの外周に切欠きを設け、このドレンソケットと前記ドレンジョイントが係合された時、この切欠きに前記ドレンジョイントの回り止めが嵌合することをことを特徴とする請求項１記載の冷却貯蔵庫の排水装置。
【請求項５】
前記ドレンジョイントの内周に溝を有するリブを設け、このリブの溝にパッキンを挿入し、前記ドレンソケットと前記ドレンジョイントが係合された時、このパッキンと前記ドレンソケットの前記二重管部の内管下端が当接することを特徴とする請求項１記載の冷却貯蔵庫の排水装置。
【請求項６】
前記ドレンジョイントの外周にストッパーを設け、前記ドレンソケットと前記ドレンジョイントが係合された時、このストッパーと前記ドレンソケットの二重管部の外管下端とが当接することを特徴とする請求項１記載の冷却貯蔵庫の排水装置。
【請求項７】
前記ドレンジョイントの前記係合片の周囲に冷却貯蔵庫の下端に当接するフランジを設け、このフランジに前記係合片と対向する切欠きを設けたことを特徴とする請求項１記載の冷却貯蔵庫の排水装置。
【発明の詳細な説明】
【０００１】
【発明の属する技術分野】
この発明は、冷蔵庫、冷凍庫、恒温庫、解凍庫、製氷機、冷蔵ショーケースなどの冷却貯蔵庫における排水装置に関する。
【０００２】
【従来の技術】
この種の冷却貯蔵庫は一般的に４本の台脚で冷却貯蔵庫本体を支え、この本体底部に排水装置を備えている。台脚の高さは１５０ミリぐらいであるから、床面と排水装置とは非常に近接しており、排水装置を掃除する際は非常に作業がやりにくい。そこでたとえば、特許第２８６８６９６号公報に示されるように、排水装置が詰まった時、掃除しやすいような工夫がなされている。
【０００３】
同公報によれば、冷蔵庫等の本体底部に取り付けられたドレンジョイント及び同ドレンジョイントの下面にねじ止めされたキャップを有し、上記キャップの下面には下方に延びる複数の突起が上記キャップの少なくとも外周部に沿って設けられている。また、複数の上記突起が上記キャップの直径方向に延びる溝を構成している。
【０００４】
このような構成にすることにより、複数の突起を下方に大きく延ばし、側方から棒状体を上記突起に係合させてこじることができるので、ドレンジョイントからキャップを取り外す操作が常に容易となって、排水装置の清掃作業を簡単化することができる。
【０００５】
このドレンジョイントの上方にはおねじが切ってあり、本体底部にねじ込むようになっている。
【０００６】
【発明が解決しようとする課題】
しかしながら、上記従来の方法では、排水装置の清掃は簡単化されるものの、ドレンジョイントを本体底部にねじ込まなければならないために、ドレンジョイントの取付け作業に時間がかかるという問題があった。そして、ドレン筒口にドレンホースを装着する際も、床と本体底部との狭い空間で行なわなければならないために、作業が非常にやりづらいという問題があった。
【０００７】
さらにこのような排水装置は本体底部に突出しているので、冷却貯蔵庫を輸送する際に、フォークリフトの先端で排水装置を折損したり、また、冷却貯蔵庫を現場に搬入設置する際に、ぶつけて破損するという問題があった。そして破損した時、部品交換に手間取るという問題があった。
【０００８】
この発明は上記の問題を解決するもので、冷却貯蔵庫の輸送時や搬入設置時に排水装置を破損しにくく、現場で装着しやすく部品交換が容易な排水装置を提供することを目的とする。
【０００９】
【課題を解決するための手段】
この発明の請求項１は、冷却貯蔵庫の本体底部に取り付けられたドレンソケットと、このドレンソケットの外周に設けられた係合部と、この係合部に係合する係合片を有するドレンジョイントと、このドレンジョイントの下端にねじ止めされたキャップとを備えたことを特徴とする。これにより、ドレンソケットとドレンジョイントを分離して、ワンタッチで係合するようにしている。
【００１０】
この発明の請求項２は、前記ドレンソケットの内側に突起を設け、この突起に嵌合する溝を設けたドレンフィルタを有することを特徴とする。これによりドレンソケットの突起にドレンフィルタの切欠を嵌合させてドレンフィルタを落とし込んでから回転させて、ドレンフィルタを固定するようにしている。
【００１１】
この発明の請求項３は、前記ドレンソケットの下方に二重管部を設け、この二重管部に前記ドレンジョイントの筒部が挿入されることを特徴とする。これによりドレンジョイントがぐらぐらしないようにしている。
【００１２】
この発明の請求項４は、前記ドレンソケットの外周に切欠きを設け、このドレンソケットと前記ドレンジョイントが係合された時、この切欠きに前記ドレンジョイントの回り止めが嵌合することを特徴とする。これによりドレンジョイントが回転しないようにしている。
【００１３】
この発明の請求項５は、前記ドレンジョイントの内周に溝を有するリブを設け、このリブの溝にパッキンを挿入し、前記ドレンソケットと前記ドレンジョイントが係合された時、このパッキンと前記ドレンソケットの前記二重管部の内管下端が当接することを特徴とする。これにより、ドレンソケットとドレンジョイントとの水密を確保するようにしている。
【００１４】
この発明の請求項６は、前記ドレンジョイントの外周にストッパーを設け、前記ドレンソケットと前記ドレンジョイントが係合された時、このストッパーと前記ドレンソケットの二重管部の外管下端とが当接することを特徴とする。これにより、ドレンジョイントを押し込み過ぎないようにしている。
【００１５】
この発明の請求項７は、前記ドレンジョイントの前記係合片の周囲に冷却貯蔵庫の下端に当接するフランジを設け、このフランジに前記係合片と対向する切欠きを設けたことを特徴とする。これにより、外部から棒などで係合片を押して係合を解除することができるようにしている。
【００１６】
【発明の実施の形態】
以下、この発明の実施の形態を図面に基づいて説明する。図１はこの発明の実施例の要部縦断面図、図２（ａ）は図１の上半分を分解した縦断面図、図２（ｂ）は（ａ）を組立てた縦断面図、図３（ａ）は図１を上下に分離して斜め下方から見た斜視図、図３（ｂ）は（ａ）の要部拡大図、図４は図１を分解して斜め上空から見た斜視図、図５は図１の排水装置を組立てる時の斜視図、図６はこの発明の排水装置を備えた冷却貯蔵庫の縦断面図である。
【００１７】
２１は冷却貯蔵庫で、この冷却貯蔵庫は、前方を開口して内部に貯蔵室２２を有する断熱箱本体２３と、この断熱箱本体の開口を閉塞する扉２４と、断熱箱本体２３の上部に搭載される冷却器２５を含む冷却ユニット２６とで構成されている。そして断熱箱体２３の下部に排水装置２７が取り付けられている。この排水装置２７は、貯蔵室２２の貯蔵食品等から落下する水を受けるとともに、冷却器２５の除湿水をドレンパイプ２８で導いて、排水ホース２９から排水する。
【００１８】
排水装置２７は、ドレンソケット２と、このドレンソケットに係合するドレンジョイント１と、このドレンジョイントの底部をふさぐキャップ３とから構成される。ドレンソケット２の内側にはドレンフィルタ４が挿入される。
【００１９】
ここで、ドレンフィルタ４の構造について説明する。ドレンフィルタ４は逆さ円錐部４ａと円筒部４ｂを組み合せた形状をしており、内側はフィルタ４ｃ、４ｄ・・を残して空洞になっており、樹脂で一体成形される。逆さ円錐部４ａのつばに相当する位置にドレンフランジ５がある。この外周には一回りする溝５ａが掘られ、上縁５ｂ、下縁５ｃを形成しているが、等間隔をおいて仕切５ｄで４ヶ所を遮断されている。仕切５ｄの右隣りは下縁５ｃのみに切欠Ｓが設けられている。
【００２０】
次にドレンソケット２の構造について説明する。ドレンソケット２はソケットフランジ６、おねじ７、二重管部８から構成されている。ソケットフランジ６の内径はドレンフランジ５の外径より若干大きく作られており、内周に突起９が等間隔に配列されている。突起９の長さはドレンフィルタ４の切欠Ｓより小さく、巾と高さは溝５ａのそれより小さい。おねじ７と二重管部８の内径は、ドレンフィルタ４の円筒部４ｂ外径より若干大きい。
【００２１】
二重管部８は外管８ａと内管８ｂから構成され、上端をドレンソケット２と一体化している。外管８ａの外周には、下端から少し上方の位置に等間隔をおいて、係合の一方を構成する係合部１０が突出して成形されている。係合部１０には上部に後述するドレンジョイント１の係合片１７の先端に設けた鈎爪１８の挿入される切欠１０ａが、下端に係合片１７と回り止め１９との挿入される開口が設けられている。そして、係合部１０の内側は、この係合部の開口巾にわたって、係合部の上部まで外管８ａに切欠１０ｂが形成されている。なお、内管８ｂには切欠き等の細工は無い。このような構造のドレンソケット２は樹脂を射出して一体成形されている。
【００２２】
次にドレンジョイント１の構造を説明する。ドレンジョイント１は筒部１４と胴部１６とから構成されている。筒部１４の内径はドレンソケット１の内管８ｂの外径より大きく、外径は外管８ａの内径より小さい。筒部１４の下端は胴部１６の内部に臨み後述する排水筒口１１、ドレン筒口１２，１３の下側で胴部１６の下端近くまで達している。
【００２３】
筒部１４の外周には、係合部の他方を構成する係合片１７が等間隔をおいて配列されている。この係合片１７は先端が鈎爪１８の形状となっており、下端は胴部１６の上端に立設する細長い片であり、筒部１４の外壁から隙間を隔てて若干反った状態で遊離している。鈎爪１８の両脇には回り止め１９が配置されている。回り止め１９はおおよそ直方体の形状であり、両者の巾は係合部１０の巾より小さく、高さは係合部１０の高さより低い。そして、筒部１４と一体化されている。回り止め１９の斜め下方には角柱形状のストッパー２０が複数設けられており、これも筒部１４と一体化されている。
【００２４】
筒部１４の内周には、上端から所定の距離を隔てて、リブ３３が円周状に形成されている。このリブ３３の上端には、断面が台形状の溝を円周状に掘りめぐらしてある。
【００２５】
胴部１６の上端には係合片１７、ストッパー２０を囲むと共に、断熱箱本体２３の下端に当接するジョイントフランジ３１が設けられており、このジョイントフランジには係合片１７と対向して切欠き３２が施され、係合片１７の根元が断熱箱本体２３の下端より下側になるようにしている。胴部１６の外周には前述した排水筒口１１、ドレン筒口１２、１３が接続され、一体化されている。胴部１６の下部にはおねじが切ってある。このような構成のドレンジョイント１は樹脂で射出され一体成形されている。
【００２６】
最後にキャップ３は、有底開口の浅底の円筒形であり、内側にめねじが切ってあり、胴部１６のおねじに螺着されている。
【００２７】
以上の構成において、これらの組立は次のようにして行なう。冷却貯蔵庫２１の断熱箱本体２３の下部にある段差付きの開口に、ドレンソケット２を挿入する。ドレンソケット２にはあらかじめソケットパッキン３４を通して、ソケットフランジ６の真下に配置しておく。裏側からナット３５を挿入し、おねじ７にかみ合わせてきつく締め付ける。こうすることで、ドレンソケット２から水が染み出るのを防ぎ断熱箱本体２３を水密に保つ。次に発泡ポリエチレン製の断熱材３６を裏側から挿入し接着する。この断熱材３６によりドレンソケット２外周の結露を防止する。
【００２８】
次にドレンソケット２にドレンフィルタ４を挿入する。ドレンフィルタ４の切欠Ｓをドレンソケット２の突起９に嵌め合わせて、ドレンフランジ５をソケットフランジ６内側に落とし込む。そしてフィルタ４ｃ、４ｄをつかんで、右側に回転すれば、突起９が仕切５ｄに当たるところで止まる。この時、突起９は溝５ａにはまっており、上下を上縁５ｂ、下縁５ｃに挟まれているから上方に抜けない。こうしてドレンフィルタ４はしっかりと固定される。取り外す時は逆の操作を行なえばよい。
【００２９】
冷却貯蔵庫２１はこの状態で工場から出荷する。図２（ｂ）に示すように、断熱箱本体２３の底部に突出する排水装置が無い状態である。図の二点鎖線で囲んだドレンジョイント１はキャップ３、キャップパッキン３７、ジョイントパッキン３８と共に、付属品として冷却貯蔵庫の中に別梱包して同時出荷する。即ち、図６に示すような排水装置のでっぱりは無く、排水ホース２９やドレンパイプ２８の配管は設置後現場で行なう。従って、冷却貯蔵庫を輸送する際に、フォークリフトの爪で排水装置を折損したり、また冷却貯蔵庫を現場に搬入設置する際に、ぶつけて破損するということがなくなる。なお、工場出荷時は図５に示すように、貯蔵室２２内に塵埃や害虫が侵入しないようにふた４２をかぶせてある。
【００３０】
排水装置２７は冷却貯蔵庫２１が現場に搬入設置されたあと最終的に組立てる。まずドレンジョイント１のドレン筒口１２にドレンパイプ２８を挿入し、ホースクリップ３９で締める。次に、排水筒口１１に排水ホース２９を差し込みホースバンド４０で固定する。使用しないドレン筒口１３はゴムキャップ４１をかぶせて水の漏洩を防ぐ。
【００３１】
この状態でドレンジョイント１は、冷却貯蔵庫２１の底からドレンソケット２の筒部１４に挿入される。そして、ドレンジョイント１を上方に押しながら左右に回すと、回り止め１９が切欠１０ｂに嵌合した時に上昇するとともに、鈎爪１８が係合部１０ａに嵌まり合って固定される。この時、ジョイントパッキン３８が内管８ｂの端面に当接する。ゴム製のジョイントパッキン３８は、断面形状がリブ３３に掘られた断面形状に等しい台形であるから、溝にしっかり納まり外れることがない上、接触面積が大きいことから水漏れのおそれが無い。また、圧縮された時、弾力性を有しているので上下方向に力を及ぼすため、鈎爪１８が係合部１０ａにしっかりと嵌合する。
【００３２】
また、回り止め１９が係合部１０に挿入されているから、ドレンジョイント１が回転することはない。その上、筒部１４が二重管部８の外管８ａと内管８ｂの間に挿入されているのでぐらぐらすることがない。そしてストッパー２０が外管８ａの下端に当接するように設計されているので、ドレンジョイント１を押し込み過ぎることはなく、ジョイントパッキン３８を破損することがない。
【００３３】
このようにして排水装置２７を組立てた後には、冷却器２５から出る除湿水はドレンパイプ２８に導かれ、貯蔵室２２から落下した水もドレンジョイント１の底にたまり、トラップ水１５を通して排水ホース２９から排出されるので、貯蔵室２２内に虫や害虫が侵入しない。
【００３４】
以上述べたように、この発明の排水装置は、面倒なねじ回し作業を必要とせず、単に押し込むだけのワンタッチで、強固で水漏れの無い現場組立を簡単に行なうことができる。
【００３５】
なお、この排水装置を分解する時は、切欠き３２からマイナスドライバー等を差し込んで、係合片１７を押して、鈎爪１８の係合を２ヶ所、同時に解除すればドレンジョイント１を簡単に下方へ引きおろすことができる。次に断熱材３６を取り出して、ナット３５をゆるめて取り外せば、ドレンソケット２を上方へ引き出すことができる。このようにして部品交換も簡単に行なうことができる。
【００３６】
以上、この発明の実施の形態を述べたが、この発明はこの実施例に限定されるものではなく、均等の範囲内で変更可能である。
【００３７】
【発明の効果】
以上のようにこの発明の請求項１によれば、冷却貯蔵庫の本体底部に取り付けられたドレンソケットと、このドレンソケットの外周に設けられた係合部と、この係合部に係合する係合片を有するドレンジョイントと、このドレンジョイントの下端にねじ止めされたキャップとを備えている。これにより、ドレンソケットとドレンジョイントを分離して工場出荷することができるから、冷却貯蔵庫を輸送する際に、フォークリフトの爪で排水装置を折損したり、また冷却貯蔵庫を現場に搬入設置する際に、ぶつけて破損するということがなくなる。そして現場に設置後はワンタッチでドレンジョイントを係合することができるので組立作業時間が短くなる効果がある。
【００３８】
この発明の請求項２によれば、前記ドレンソケットの内側に突起を設け、この突起に嵌合する溝を設けたドレンフィルタを有している。これによりドレンソケットの突起にドレンフィルタの切欠を嵌合させてドレンフィルタを落とし込んでから回転させて、ドレンフィルタを確実に固定するようにするとともに、簡単に着脱できる効果がある。
【００３９】
この発明の請求項３によれば、前記ドレンソケットの下方に二重管部を設け、この二重管部に前記ドレンジョイントの筒部が挿入される。これによりドレンジョイントがぐらぐらしないようにするとともに、ドレンジョイントをドレンソケットにスムーズに嵌合する効果がある。
【００４０】
この発明の請求項４によれば、前記ドレンソケットの外周に切欠きを設け、前記ドレンソケットと前記ドレンジョイントが係合された時、この切欠きに前記ドレンジョイントの回り止めが嵌合する。これによりドレンジョイントが回転しないようにしている。こうしてドレンジョイントを所定の位置に確実に固定する効果がある。
【００４１】
この発明の請求項５によれば、前記ドレンジョイントの内周に溝を有するリブを設け、このリブの溝にパッキンを挿入し、前記ドレンソケットと前記ドレンジョイントが係合された時、このパッキンと前記ドレンソケットの前記二重管部の内管下端が当接する。これにより、ドレンソケットとドレンジョイントとの水密が確保され、水漏れ防止効果がある。
【００４２】
この発明の請求項６によれば、前記ドレンジョイントの外周にストッパーを設け、前記ドレンソケットと前記ドレンジョイントが係合された時、このストッパーと前記ドレンソケットの二重管部の外管下端とが当接する。これにより、ドレンジョイントを押し込み過ぎないようにして、ドレンソケットとの水密を確実にする効果がある。
【００４３】
この発明の請求項７によれば、前記ドレンジョイントの前記係合片の周囲に冷却貯蔵庫の下端に当接するフランジを設け、このフランジに前記係合片と対向する切欠きを設けた。これにより、外部から棒などで係合片を押して係合を解除することができるので、排水装置を簡単に分解することが可能となる。
【図面の簡単な説明】
【図１】この発明の実施例の要部縦断面図である。
【図２】（ａ）は図１の上半分を分解した縦断面図である。（ｂ）は（ａ）を組立てた縦断面図である。
【図３】（ａ）は図１を上下に分離して斜め下方から見た斜視図である。（ｂ）は（ａ）の要部拡大図である。
【図４】図１を分解して斜め上空から見た見た斜視図である。
【図５】図１の排水装置を組立てる時の斜視図である。
【図６】この発明の排水装置を備えた冷却貯蔵庫の縦断面図である。
【符号の説明】
１　ドレンジョイント
２　ドレンソケット
３　キャップ
４　ドレンフィルタ
５ａ　溝
８　二重管部
８ａ　外管
８ｂ　内管
９　突起
１０ａ　係合部
１０ｂ　切欠
１４　筒部
１７　係合片
１９　回り止め
２０　ストッパー
３２　切欠き
３３　リブ
３８　ジョイントパッキン
【図１】
2004060940.tif 000003
【図２】
2004060940.tif 000004
【図３】
2004060940.tif 000005
【図４】
2004060940.tif 000006
【図５】
2004060940.tif 000007
【図６】
2004060940.tif 000008